(57)【要約】【課題】  簡単に設置でき、溜めた雨水の利用も容易な雨水貯留装置を提案すること。【解決手段】雨水貯留装置１は、住宅の竪樋１０１の一部を切り取ることにより形成された上側の開口端１０２ａおよび下側の開口端１０３ａに、導水管４およびオーバーフロー管５を接続することにより、簡単に設置できる。雨水貯留装置１の雨水タンク２の内部には、出し入れ可能な状態で散水用の柄杓３が収納されている。雨水タンク２に雨水が溜まっている状態において、その天面の開閉蓋６を開けて、柄杓３を上方に引き上げると、所定量の雨水を汲み上げることができ、花壇などへの散水が簡単にできる。【選択図】図１
0003119897.tif 000002
【実用新案登録請求の範囲】
【請求項１】
雨水タンクと、
前記雨水タンクに溜まっている雨水を汲み上げるための雨水汲み上げ具とを有し、
前記雨水汲み上げ具は、出し入れ可能な状態で、前記雨水タンクの内部に収納されていることを特徴とする雨水貯留装置。
【請求項２】
請求項１において、
前記雨水タンクは、
前記雨水汲み上げ具を出し入れするための開口部と、
前記開口部を封鎖している開閉蓋と、
前記雨水汲み上げ具を着脱可能な状態で保持している保持部とを備えていることを特徴とする雨水貯留装置。
【請求項３】
請求項２において、
前記雨水汲み上げ具は、柄杓本体部分と、当該柄杓本体部分に取り付けた柄と、当該柄の先端に取り付けた吊り下げ用のフックとを備えた散水用の柄杓であり、
前記保持部は前記フックを吊り下げるための吊り輪を備えていることを特徴とする雨水貯留装置。
【請求項４】
請求項３において、
前記柄杓本体部分には散水用の穴が形成されていることを特徴とする雨水貯留装置。
【請求項５】
請求項１ないし４のうちのいずれかの項において、
前記雨水タンクは、
当該雨水タンクに雨水を導くための導水管と、
当該雨水タンクから溢れる雨水を排出するためのオーバーフロー管と、
当該雨水タンクに溜まっている雨水を取り出すための開閉可能な給水口を備えていることを特徴とする雨水貯留装置。
【請求項６】
請求項５において、
前記導水管の先端部は、住宅の竪樋に接続するための上向き開口端となっており、
前記オーバーフロー管の先端部は、住宅の竪樋に接続するための下向き開口端となっており、
住宅の竪樋の一部を、前記上向き開口端および前記下向き開口端の間の距離に対応する長さ分だけ切り取ることにより形成される前記竪樋の上側開口端に前記上向き開口端を接続し、当該竪樋の下側開口端に前記下向き開口端を接続して用いるようになっていることを特徴とする雨水貯留装置。
【考案の詳細な説明】
【技術分野】
【０００１】
本考案は、花壇の樹木への散水、防火用水などとして利用するために雨水を溜める雨水貯留装置に関するものである。
【背景技術】
【０００２】
近年、雨水を、花壇への散水、防火用水などとして利用するために、雨水を溜めるための各種のタンクが提案されている。
【考案の開示】
【考案が解決しようとする課題】
【０００３】
本発明の課題は、住宅などに簡単に設置でき、貯留した雨水を手軽に利用できるように改良を図った雨水貯留装置を提案することにある。
【課題を解決するための手段】
【０００４】
上記の課題を解決するために、本考案の雨水貯留装置は、
雨水タンクと、
前記雨水タンクに溜まっている雨水を汲み上げるための雨水汲み上げ具とを有し、
前記雨水汲み上げ具は、出し入れ可能な状態で、前記雨水タンクの内部に収納されていることを特徴としている。
【０００５】
雨水タンク内に雨水汲み上げ具が収納されているので、雨水タンクに溜まった雨水を花壇などに撒く場合に、雨水タンクから雨水を汲み上げるための道具が不要であり、溜まった雨水を手軽に利用できる。
【０００６】
ここで、雨水汲み上げ具を出し入れ可能とするためには、前記雨水タンクに、前記雨水汲み上げ具を出し入れするための開口部と、前記開口部を封鎖している開閉蓋と、前記雨水汲み上げ具を着脱可能な状態で保持している保持部とを設ければよい。
【０００７】
また、雨水汲み上げ具としては、柄杓本体部分と、当該柄杓本体部分に取り付けた柄と、当該柄の先端に取り付けた吊り下げ用のフックとを備えた散水用の柄杓を用いることができる。この場合には、前記保持部を、前記フックを吊り下げるための吊り輪を備えた構成とすればよい。
【０００８】
さらに、前記柄杓の柄杓本体部分に散水用の穴を形成しておけば、花壇などへの散水を簡単に行うことができるので便利である。
【０００９】
次に、本発明では、前記雨水タンクは、
当該雨水タンクに雨水を導くための導水管と、
当該雨水タンクから溢れる雨水を排出するためのオーバーフロー管と、
当該雨水タンクに溜まっている雨水を取り出すための開閉可能な給水口を備えていることを特徴としている。
【００１０】
この場合、前記導水管の先端部を、住宅の竪樋に接続するための上向き開口端とし、前記オーバーフロー管の先端部は、住宅の竪樋に接続するための下向き開口端としておけば、住宅の竪樋の一部を、前記上向き開口端および前記下向き開口端の間の距離に対応する長さ分だけ切り取ることにより形成される前記竪樋の上側開口端に前記上向き開口端を接続し、当該竪樋の下側開口端に前記下向き開口端を接続して用いることができる。したがって、雨水貯留装置を簡単な作業により設置することができる。
【考案の効果】
【００１１】
本考案の雨水貯留装置は、その雨水タンクの内部に雨水汲み上げ具が収納されているので、バケツや柄杓などを持ち寄ることなく、雨水タンクに溜まった雨水を手軽に利用できるので便利である。
【００１２】
また、住宅の竪樋の一部を所定長さに切断することにより、簡単に、設置することができるという利点もある。
【考案を実施するための最良の形態】
【００１３】
図面を参照して、本考案を適用した雨水貯留装置の実施の形態を説明する。
【００１４】
図１は、本発明の実施の形態に係る雨水貯留装置を住宅に設置した状態を示す説明図である。雨水貯留装置１は、住宅１００における既設の竪樋１０１の側方位置に設置して用いられている。雨水貯留装置１は、雨水タンク２と、この内部に収納されている雨水汲み上げ用の柄杓３とを有している。雨水タンク２の側面における上方の部位にはＬ型の導水管４が取り付けられ、その先端は上向き開口端４ａとなっている。導水管４の下側には同じくＬ型のオーバーフロー管５が取り付けられ、その先端は下向き開口端５ａとなっている。既設の竪樋１０１は、上向き開口端４ａおよび下向き開口端５ａに対応する高さ位置において、これらの間の長さに対応する部分が切り取られ、これにより形成された竪樋１０１の上側部分１０２の下向きの開口端１０２ａに導水管４の上向き開口端４ａが同軸状態に接続され、竪樋１０１の下側部分１０３の上向き開口端１０３ａにオーバーフロー管５の下向き開口端５ａが同じく同軸状態に接続されている。
【００１５】
住宅１００の屋根から流れ落ちた雨水は竪樋１０１の上側部分１０２に集められて、そこを流れ落ち、導水管４から雨水タンク２の内部に導かれてそこに溜まる。雨水タンク２が満杯になると、ここからオーバーフロー管５に溢れ出た雨水が竪樋１０１の下側部分１０３を流れ落ちて、既設の排出溝（図示せず）などに排出される。
【００１６】
雨水タンク２の天面には開閉蓋６が取り付けられており、ここを開けると、内部に収納されている柄杓３を取り出すことができる。柄杓３を取り出すと、雨水タンク２に溜まっている雨水が柄杓３によってすくい上げられる。したがって、柄杓３を取り出して花壇などに行き、雨水を撒くことができる。また、火災時などにおいては、迅速に、溜まっている雨水を消火用に用いることができる。
【００１７】
図２（ａ）〜（ｄ）は、雨水貯留装置１を示す正面図、右側面図、左側面図および平面図である。これらの図から分かるように、雨水タンク２は、上側が開口している縦長の直方体形状をしたタンク本体２ａと、このタンク本体２ａの開口を封鎖しているタンク蓋２ｂとを備えている。タンク蓋２ｂは側方から見た形状が三角形をしており、その天面部分は前方に向けて下方に傾斜した傾斜面となっており、ここには、柄杓出し入れ用の開口部１１が形成されており、この開口部１１が開閉蓋６によって封鎖されている。これらタンク本体２ａおよびタンク蓋２ｂは、ステンレススチールなどの金属板、あるいはプラスチック板から形成されている。
【００１８】
タンク蓋２ｂの三角形の右側面にはＬ型の導水管４が水平に取り付けられており、その真下には、タンク本体２ａの右側面における上縁の近傍位置に、オーバーフロー管５が水平に取り付けられている。このオーバーフロー管５の取付高さによって、雨水タンク２内の最大貯水量が規定される。導水管４の先端の上向き開口端４ａには、その外周縁部分に一定長さの樋接続用の円筒布１２が取り付けられている。同様に、オーバーフロー管５の先端の下向き開口端５ａにもその外周縁部分に一定長さの樋接続用の円筒布１３が取り付けられている。タンク本体２ａの下端の右隅部分には、給水口としての蛇口１４が取り付けられている。蛇口１４の栓を開けることにより、溜まっている雨水を取り出して利用することができる。さらに、タンク蓋２ｂの内部には、その背面板部分の中央部分における上縁近傍に柄杓吊り下げ用の吊り輪１５（保持部）が取り付けられている。
【００１９】
図３は、導水管４と竪樋１０１の接続部分を拡大して示す部分拡大図である。この図に示すように、導水管４の上向き開口端４ａは、竪樋１０１の上側部分１０２における下向きの開口端１０２ａに対して同軸状態に位置決めされる。この状態で、竪樋１０１の上側部分１０２の外周面部分に接着部材、例えば、両面テープ１０５を貼り付ける。次に、下側の導水管４の上向き開口端４ａに取り付けられている円筒布１２を引き上げて、竪樋側の下向きの開口端１０２ａの部分を覆い包み、その上端縁部分を両面テープ１０５に接着固定する。この結果、図に示すような接続状態が形成される。下側のオーバーフロー管５の下向き開口端５ａと竪樋側の上向き開口端１０３ａの接続も同様に行われている。
【００２０】
なお、円筒布の代わりに、プラスチック製、金属製の円形の接続管を用いることもできる。この場合には、接続管に竪樋の下向き開口端を差し込むだけでよく、両面テープなどの使用を省略することも可能である。
【００２１】
次に、図４（ａ）〜（ｃ）は雨水タンク２に収納されている柄杓３を示す正面図、右側面図および左側面図である。また、図４はその柄杓本体部分を示す部分斜視図である。本例の柄杓３は、細長い柄３１と、その先端に取り付けた柄杓本体部分３２を備えており、柄３１の後端にはＵ状に湾曲した吊り下げ用フック３３が取り付けられている。吊り下げ用フック３３はタンク本体２ａ内部の吊り輪に柄杓を吊り下げるためのものである。
【００２２】
柄杓本体部分３２は、全体として偏平な箱型のものであり、矩形の底板部分３４と、その四周縁から直角に立ち上がっている左右の側板部分３５、３６および上下の端板部分３７、３８とを備えており、上側の端板部分３７の中央に柄３１の先端が取り付けられている。また、下側の端板部分３８の縁には直交する方向に延びる所定幅の天板部分３９が形成されており、この天板部分３９の左右の端部分は、左右の長辺側の側板部分３５、３６の縁に沿って細長い三角形状に延びている。この形状の天板部分３９以外の天面部分は逆台形状の開口部４０となっている。
【００２３】
ここで、右側の側板部分３６には、その長さ方向の中央部分における天板部分３９に近い側の部位に１個の散水穴４１が形成されている。左側の側板部分３５には、その長さ方向の中央部分における天板部分３９に近い側の部位に多数の細かな散水穴４２が形成されている。したがって、雨水の溜まっている雨水タンク２から柄杓３を引き上げると、所定量の雨水を汲み上げることができる。また、柄杓３を側方に向けて、柄杓本体部分３２の側板部分３５あるいは３６を下向きとすれば、散水穴４２あるいは４１から汲み上げた雨水を放出することができる。
【００２４】
以上説明したように、本例の雨水貯留装置１は、住宅１００に設置されている竪樋１０１の一部を切断することにより、簡単に取り付けることができる。また、溢れた雨水を竪樋１０１の排水溝などに排出できるので、溢れた雨水の処理も不要である。さらに、雨水タンク２内には出し入れ可能な状態で柄杓３が収納されている。したがって、開閉蓋６を開けて柄杓３を引き上げると、溜まっている雨水を汲み上げることができ、花壇などへの散水を簡単に行うことができる。また、火災時などにおける消火にあたってもバケツなどを探しに行くことなく、溜まっている雨水を消火のために用いることができるので、極めて便利である。
【図面の簡単な説明】
【００２５】
【図１】本考案の実施の形態に係る雨水貯留装置を住宅に設置した状態を示す説明図である。
【図２】図１の雨水貯留装置の正面図、右側面図、左側面図および平面図である。
【図３】図１の雨水貯留装置の導水管と竪樋の接続部分を拡大して示す拡大図である。
【図４】図１の雨水貯留装置の散水用の柄杓を示す正面図、右側面図および左側面図である。
【図５】図４の柄杓の柄杓本体部分を示す部分斜視図である。
【符号の説明】
【００２６】
１  雨水貯留装置
２  雨水タンク
２ａ  タンク本体
２ｂ  タンク蓋
３  柄杓
４  導水管
４ａ  上向き開口端
５  オーバーフロー管
５ａ  下向き開口端
６  開閉蓋
１１  開口部
１４  蛇口
１５  柄杓吊り下げ用の吊り輪
３１  柄
３２  柄杓本体部分
３３  吊り下げ用フック
４０  開口部
４１、４２  散水穴
１００  住宅
１０１  竪樋
【図１】
0003119897.tif 000003
【図２】
0003119897.tif 000004
【図３】
0003119897.tif 000005
【図４】
0003119897.tif 000006
【図５】
0003119897.tif 000007